(57)【要約】【課題】  プラットホームにおける風力を利用して発電しその電力を改札口の携帯電話用の充電装置に供給するようにした。【解決手段】  看板２０と並んで設けられる風力発電装置３０は、プラットホーム１２上を通る風や車両１５が軌道１４を通過する際に生じる風等を受けて、各小型風力発電機３２で効率よく発電を行なう。軌道面１８上には、風力発電装置３０によって発電された電力を蓄積する蓄電池（蓄電装置）４０が設けられており、蓄電池４０に蓄積された電力が階下の充電装置５０に供給される。充電装置５０では、例えば駅で電車を待つ人が携帯電話をセットして充電を行なえる。また、充電装置５０内に予め店舗や観光情報等の配信情報を登録する登録装置を内蔵しており、携帯電話の充電中に配信情報のダウンロードを行なう。【選択図】        図１
2005057917.tif 000002
【特許請求の範囲】
【請求項１】
屋外空間に設置される防風機能を兼ねた看板に組み込まれて自然エネルギを用いた発電を行なう発電装置と、
前記発電装置によって発電された電力を蓄電する蓄電装置と、
前記蓄電装置に蓄電された電力を利用して携帯端末の充電を行なう充電端子を備えた充電装置と、
を有することを特徴とする携帯端末の充電システム。
【請求項２】
前記発電装置が看板の枠部に多数のプロペラ型の風力発電機を配置した風力発電装置であることを特徴とする請求項１記載の携帯端末の充電システム。
【請求項３】
前記発電装置が看板の枠部に多数の太陽電池を配置した太陽光発電装置であることを特徴とする請求項１記載の携帯端末の充電システム。
【請求項４】
前記風力発電装置は前記プロペラ型の風力発電機の配置パターンまたは配色パターンを選択することによって特定パターンを表示する看板広告機能を有することを特徴とする請求項２記載の携帯端末の充電システム。
【請求項５】
前記太陽光発電装置は前記太陽電池の配置パターンまたは配色パターンを選択することによって特定パターンを表示する看板広告機能を有することを特徴とする請求項３記載の携帯端末の充電システム。
【請求項６】
予め配信情報を登録する登録装置を有し、前記携帯端末が充電装置の充電端子に装着されて充電を行なう場合に、前記登録装置に登録された配信情報を前記携帯端末にダウンロードすることを特徴とする請求項１記載の携帯端末の充電システム。
【請求項７】
前記登録装置の登録内容を表示する表示装置と、前記表示装置に表示された登録内容を利用者が選択するための操作入力装置と、前記操作入力装置からの選択操作に対応する処理を行なう処理装置とを有することを特徴とする請求項６記載の携帯端末の充電システム。
【請求項８】
前記蓄電装置に蓄電された電力を利用して看板の照明を行なう照明装置を有することを特徴とする請求項１記載の携帯端末の充電システム。
【請求項９】
前記発電装置による発電能力が低下し、前記蓄電装置の蓄電量が低下した場合に、商用電源を用いて電力供給を補助する補助電力装置を有することを特徴とする請求項１記載の携帯端末の充電システム。
【請求項１０】
前記充電装置で用いる電力が自然エネルギを用いた発電装置によって供給されていることを表示する表示手段を有することを特徴とする請求項１記載の携帯端末の充電システム。
【発明の詳細な説明】
【技術分野】
【０００１】
本発明は屋外における携帯端末の充電システムに関する。
【背景技術】
【０００２】
例えば都市部の屋外空間では、建物の高層化等に伴い、いわゆるビル風などの影響が強く、強風にさらされ易いことから、防風対策が必要となっている場所が多くなってきている。
一方、最近では携帯電話が普及しており、特に駅前などの待ち合い場所となる空間では、多くの利用者が携帯電話を用いて連絡を取り合う光景が一般的となっている。また、それ以外の場所でも頻繁に携帯電話が利用されており、その利用頻度はますます大きくなる傾向にある。
また、携帯電話の機能も、デジタルカメラやＥメールなどの付加機能が追加され、さらに今後は地上波デジタルＴＶの受信機能を始め、各種情報サービスの拡充や防犯等の新たな利用形態の開発が期待され、利用範囲が急速に進むことが予想される。
また、このような携帯電話と同種のものに、ＰＤＡ等の各種携帯情報端末が提供されており、このような携帯情報端末についても携帯電話と同様に、今後のさらなる普及、発展が予想される。なお、本説明では、携帯電話や携帯情報端末をまとめて携帯端末というものとする。
【０００３】
ところで、このような各種の携帯端末においては、電源部の大容量化や消費電力を抑制する工夫がなされているものの、上述した機能の拡充や利用時間の増加等によって消費電力の増大も著しく、電源部の蓄電量が相対的に小さくなる傾向になる。そのため、比較的頻繁な充電が必要となり、例えばコンビニエンスストア等において、携帯電話の特定時間の充電を行なえるといった新たなサービスが提供されている。
【発明の開示】
【発明が解決しようとする課題】
【０００４】
本発明の目的は、例えば不特定多数の携帯端末利用者が集まる屋外空間において、防風対策を行ない、かつ、屋外空間の携帯端末利用者に対して、携帯端末の充電サービス、店舗や観光情報等の配布サービスを提供でき、自然エネルギの有効利用や環境保全の促進を図ることが可能な携帯端末の充電システムを提供することにある。
【課題を解決するための手段】
【０００５】
前記目的を達成するため本発明は、屋外空間に設置される防風機能を兼ねた看板に組み込まれて自然エネルギを用いた発電を行なう発電装置と、前記発電装置によって発電された電力を蓄電する蓄電装置と、前記蓄電装置に蓄電された電力を利用して携帯端末の充電を行なう充電端子を備えた充電装置とを有することを特徴とする。
【発明の効果】
【０００６】
本発明では、屋外空間に設置される看板に組み込まれた発電装置で自然エネルギを用いた発電を行ない、これを蓄電装置を通して充電装置に送り、携帯端末の充電を行なえるようにしたので、例えば不特定多数の携帯端末利用者が集まる屋外空間において、防風対策を行ない、かつ、屋外空間の携帯端末利用者に対して携帯端末の充電サービスを行なうことが可能となる。また、予め登録した情報を携帯端末の充電中にダウンロードする機能を付加することにより、店舗や観光情報等の配布サービスを提供でき、さらに、自然エネルギの発電装置を用いたことで、自然エネルギの有効利用や環境保全を促進することが可能となる。
【発明を実施するための最良の形態】
【０００７】
不特定多数の携帯端末利用者が集まる屋外空間において、防風対策機能を兼用した風力発電装置や太陽光を利用した発電装置等によって携帯端末用の充電システムを構成し、屋外空間の携帯端末利用者に対して、携帯端末の充電サービスを行なう。そして、この充電時間を利用して、店舗や観光情報等を携帯端末にダウンロードし、各種情報の配布サービスを提供する。
例えば、鉄道の高架駅では、周辺の建物に比べ、プラットホームは高い位置にあるため、電車の到着まで利用者は強い風にさらされることが多い。そこで、駅舎の看板の形態を工夫し、風力発電を行なうことにより、改札口付近に設置した携帯電話の充電装置に電源を供給する。本システムを設置した事業者は、以下の３つの収入を得ることができる。
（１）携帯電話の充電サービスの利用料金（利用者から事業者）。
（２）店舗及び観光情報の提供費用（情報提供者から事業者）。
（３）風力発電装置を利用した看板広告の費用（広告主から事業者）。
また、充電システムに風力発電や太陽光発電等の自然エネルギを用い、これを充電中の利用者に広告等によってアピールすることで、環境保全への意識向上を促すことが可能である。
【実施例１】
【０００８】
図１〜図３は本実施例の充電システムを設けた駅構内の様子を示す説明図であり、図１はプラットホームを鉄道軌道と直交する方向に視た状態と改札口近辺の様子を示し、図２はプラットホームを鉄道軌道と平行な方向に視た状態と改札口近辺の様子を示す。また、図３は図１及び図２に示す鉄道軌道に沿って配置される看板と風力発電装置を示す平面図である。
駅舎１０のプラットホーム１２は、軌道１４と共に高架に建設され、軌道１４は軌道面１８上に設けられている。また、プラットホーム１２の下階に改札口６０が設けられ、この改札口６０の近くに携帯電話の充電装置５０が設置されている。
軌道１４を挟んでプラットホーム１２に対向する箇所に、軌道１４の延在方向に並べて複数の看板２０が立設され、この看板２０に並んで風力発電装置３０が設置されている。
看板２０は、例えば、プラットホーム１２が一つの場合には、プラットホーム１２の幅方向（軌道１４と直交方向）の両側にそれぞれ設けられ、プラットホーム１２が複数の場合には、両側に位置するプラットホーム１２の外側箇所や隣り合うプラットホーム１２の中間の箇所に設けられている。
看板２０は、風力発電装置３０等による電源電力が供給されることでその広告内容が照らし出される照明式のものである。
【０００９】
風力発電装置３０は、看板２０に連設されたフレーム３１に多数のプロペラ型の小型風力発電機３２を２次元配列で設けたものであり、プラットホーム１２上を通る風や車両１５が軌道１４を通過する際に生じる風等を受けて、各小型風力発電機３２で効率よく発電を行なう。なお、風力発電装置３０の周囲には、各小型風力発電機３２に風を効率的に導くための傾斜板３３が設けられ、看板２０の裏面にも、裏面側から当たる風を両側に配置された各小型風力発電機３２に効率的に導くための傾斜板３４が設けられている。
なお、この風力発電装置３０は小型風力発電機３２の配置パターンや配色パターンを選択することによって特定パターンを表示する看板広告機能を有しており、図示の例では、小型風力発電機３２の配色を工夫し、目立つ色に着色した小型風力発電機３２を配置してＪＰという英文字を表示している。
軌道面１８上には、風力発電装置３０によって発電された電力を蓄積する蓄電池（蓄電装置）４０と、この蓄電池４０に蓄積された電力（ＤＣ１２ｖ）を商用電源に対応したＡＣ１００ｖの電力に変換して階下の充電装置５０に供給するＤＣ／ＡＣインバ−タ４１が設けられている。
【００１０】
充電装置５０には、例えば複数組みの充電端子が設けられ、例えば駅で電車を待つ人が自己の携帯電話（携帯情報端末も含む）を充電端子にセットして充電を行なえるようになっている。
また、本例では、充電装置５０内に予め店舗や観光情報等の配信情報を登録する登録装置を内蔵しており、携帯電話が充電装置５０の充電端子に装着されて充電を行なう場合に、登録装置に登録された配信情報を携帯電話にダウンロードするようなシステムとなっている。これにより、利用者は、充電時間を利用して、観光、飲食店、駐車場、ビジネス情報などを携帯電話にダウンロードして用いることが可能となる。
具体的には、登録装置の登録内容を表示する表示装置と、この表示装置に表示された登録内容を利用者が選択するための操作入力装置と、この操作入力装置からの選択操作に対応する処理を行なう処理装置とを有し、利用者の選択に応じて好みの配信情報を携帯電話に供給するような構成を用いることが可能である。
また、充電装置５０には、風力発電装置３０による発電能力が低下し、蓄電池４０の蓄電量が低下した場合に、商用電源を用いて電力供給を補助する補助電力装置が設けられている。これにより、風の状態にかかわらず、安定的に充電システムを運用することが可能となる。
さらに、充電装置５０には、この充電装置５０で用いる電力が自然エネルギ（本例では風力）を用いた発電装置によって供給されていることを表示するアピール広告等の表示手段が設けられており、環境に対する利用者の意識向上を促せるようになっている。
また、風の強いプラットホームに防風機能をもった看板や風力発電装置を設けることで、防風対策にもなり、プラットホームで待つ人の快適性を向上できる。
【００１１】
図４は本実施例の充電システムの動作概要を示す説明図である。以下、本図に基づいて充電システムの動作概要について説明する。
まず、本充電システムに関係する主体は、携帯電話を利用する利用者１１０、鉄道や駅の運営を行なう事業者１２０、看板広告を出す広告主１３０、情報登録によって情報提供サービスを行なう情報提供者１４０の四者である。
そして、利用者１１０は自己の携帯電話を充電装置５０で充電することが可能であり（Ｓ２１０）、所定の利用料金を払うことにより、待ち時間等を利用して充電サービスを利用できる。なお、充電サービスの課金システムとしては、鉄道で用いられている運賃支払い用のカード決済システムを流用してもよいし、携帯電話の課金システムを流用することも可能である。もちろん、コイン投入によって特定時間の充電を行なうようなシステムであってもよい。
また、このような充電期間中に予め情報提供者１４０が登録した観光やビジネス情報が携帯電話にダウンロードされる（Ｓ２２０）。この情報提供サービスは、利用者１１０に対して基本的に無料で提供されるものとし、情報提供者１４０から事業者１２０に情報提供料金といった形式で料金が支払われる。なお、この場合の情報提供料金は利用回数等に応じて決めることが可能である。
また、プラットホーム１２に設置した看板２０に広告を掲載（Ｓ２３０）した広告主１３０は、事業者１２０に広告料金を支払う。これは設置期間等によって料金が決まることになる。
また、事業者１２０は、自然エネルギを用いた携帯電話充電システムであることを、携帯電話の利用者１１０や広告主１３０に種々の形式でアピールすることにより（Ｓ２４０）、事業者１２０が環境負荷の低減に積極的に貢献していることをＰＲでき、事業者１２０のイメージアップ等といった有形、無形の利益を得ることが可能である。
【００１２】
この結果、本充電システムを設置した事業者は、以下の３つの収入を得ることができる。
（１）携帯電話の充電サービスの利用料金（利用者から事業者）。
（２）店舗及び観光情報の提供費用（情報提供者から事業者）。
（３）風力発電装置を利用した看板広告の費用（広告主から事業者）。
これらの収入源を利用して充電システムの運営費用を賄うことができ、低負担で利便性の高いシステムを運用することが可能である。
【００１３】
なお、以上の例は、駅に設置する充電システムの例を説明したが、本発明はこれに限定されず、他の空間に設置する場合にも同様に適用できるものである。
また、自然エネルギを用いた発電装置としては、上述した風力発電装置に限らず、太陽光発電装置を用いることも可能であるし、河川の近くなどにおいては水力発電装置を用いることも可能である。また、例えば太陽光発電装置においても、看板のフレームに多数の太陽電池を取り付けた構造とし、この太陽電池の配列パターンや配色パターンを工夫することにより、看板広告の機能を持たせるような構成とすることも可能である。
また、上述した実施例では、看板と発電装置とを横に交互に並べて配置したが、本発明はこれに限定されず、看板と発電装置を上下に並べたり、斜めに配置するなど、設置環境等を考慮して適宜選択し得ることはもちろんである。また、看板の内部に小型風力発電機や太陽電池を組み込んだ構造のものを採用することも可能である。
【図面の簡単な説明】
【００１４】
【図１】充電システムを設けた駅構内の様子を示す説明図である。
【図２】充電システムを設けた駅構内の様子を示す説明図である。
【図３】充電システムの看板と風力発電装置を示す平面図である。
【図４】充電システムの動作概要を示す説明図である。
【符号の説明】
【００１５】
１０……駅舎、１２……プラットホーム、１４……軌道、２０……看板、３０……風力発電装置、３２……小型風力発電機、４０……蓄電池、５０……充電装置、６０……改札口。
【図１】
2005057917.tif 000003
【図２】
2005057917.tif 000004
【図３】
2005057917.tif 000005
【図４】
2005057917.tif 000006